(57)【要約】【課題】洗面と浴室の間に建築の基礎があっても、間仕切壁の壁厚によるデッドスペースを解消できる洗面床の架台を提供する。【解決手段】洗面所を浴室の湿気から守る洗面所の防水床において、浴室の防水床と洗面所の防水床を建築の間仕切りを界さずに近接して設置するとともに、防水床が建築から独立して架台にて支持され、浴室と洗面所の間の建築の基礎を避けるように洗面所の防水床の架台がオフセットされていることを特徴とした洗面所の床の構造としたので、洗面所を湿気から守ることが可能であり、浴室と洗面所の間に建築の基礎が存在する場合でも間仕切壁の壁厚のデットスペースを生じさせない。【選択図】図１
2004084358.tif 000002
【特許請求の範囲】
【請求項１】
洗面所を浴室の湿気から守る洗面所の防水床において、浴室の防水床と洗面所の防水床を建築の間仕切りを界さずに近接して設置するとともに、防水床が建築から独立して架台にて支持され、浴室と洗面所の間の建築の基礎を避けるように洗面所の防水床の架台がオフセットされていることを特徴とする洗面所の床の構造。
【請求項２】
洗面所の防水床の部分が洗面所床面積の略半分以下の広さであることを特徴とする請求項１記載の洗面所の床の構造。
【請求項３】
浴室の防水床と洗面の防水床の位置を固定する位置決め部材が洗面の防水床の転倒防止部材をかねていることを特徴とする請求項２記載の洗面所の床の構造。
【請求項４】
洗面の防水床の長手方向と直交する浴室の防水床の辺から延出された位置決め部材を有することを特徴とする請求項３記載の洗面所の床構造。
【発明の詳細な説明】
【０００１】
【発明の属する技術分野】
本発明は、浴室に隣接して設けられる洗面所の床の構造に関する。
【０００２】
【従来の技術】
従来、洗面所は建築工事により、主に木質の材料を現場で加工して組み立てられている。また、最近ユニット化された洗面室が商品化され、洗面室を床、壁、天井など構成部材を丸ごと提供するものがある。浴室の防水床パンと洗面所の床パンを建築からそれぞれ独立させて支持し、境界に壁を設ける技術は特開平４−２６５３６７号や特開平４−２６５３６９号や特開２０００−３１４１７８号に記載されている。
【０００３】
【発明が解決しようとする課題】
洗面所と浴室の間の土台や柱などの建築は、浴室からもれる湿気のため、家の中で一番腐ったり、白蟻の被害が出やすい場所として認知されている。従来の木質の建材を使用した建築においては、建築の傷みは避けられない。また、洗面と浴室の間には間仕切壁が設けられるが、この間仕切壁の壁厚によって１５０ｍｍ程度のデッドスペースが生じてしまう。
【０００４】
洗面ユニットでは湿気から建築を守ることが可能であり、また、間仕切り壁や土台、基礎をなくして、間仕切壁の壁厚によって生じる１５０ｍｍ程度のデッドスペースを無くすことは可能であるが、増改築などですでに基礎が存在する場合、基礎を取り除かなければならず、多大な労力と時間を要する。また、洗面ユニットは洗面所全体を防水性の高価な素材で作成するため建築工事にて洗面所を仕上げる場合に比べて、相当なコスト高になってしまった。
【０００５】
浴室の防水床パンと洗面所の床パンを建築からそれぞれ独立させて支持し、境界に壁を設ける技術は特開平４−２６５３６７号や特開平４−２６５３６９号や特開２０００−３１４１７８号に記載されているが、これらすべて一般的に浴室と洗面所の間に存在する建築の基礎の存在を無視しており、実際の多くの場面では基礎を取り除くために多大な負荷を現場に強いることになる。
【０００６】
本発明は、上記課題を解決するためになされたもので、本発明の目的は、建築を湿気から守るとともに、建築のデッドスペースをなくすことが可能で、増改築などですでに基礎などがある場合でもそのまま、洗面床を施工することが可能な洗面の床の構造を安価に提供することにある。
【０００７】
【課題を解決するための手段】
上記目的を達成するために、請求項１では洗面所を浴室の湿気から守る洗面所の防水床において、浴室の防水床と洗面所の防水床を建築の間仕切りを界さずに近接して設置するとともに、防水床が建築から独立して架台にて支持され、浴室と洗面所の間の建築の基礎を避けるように洗面所の防水床の架台がオフセットされている。
【０００８】
請求項２では洗面所の防水床の部分が洗面所床面積の略半分以下の広さである。
【０００９】
請求項３では浴室の防水床と洗面の防水床の位置を固定する位置決め部材が洗面の防水床の転倒防止部材をかねている。
【００１０】
請求項４では洗面の防水床の長手方向と直交する浴室の防水床の辺から延出された位置決め部材を有する。
【００１１】
【発明の実施の形態】
以下、本発明を図示された実施例に基づき詳述する。一般的な住宅では洗面所２と浴室４は浴室ドア４ａを介して隣り合うように建築の中に配置されている。浴室４は本発明では主要部ではないのでこれ以上の説明は省略する。
【００１２】
洗面所２は浴室４とほぼ同じ長さで面しており、本実施例ではもっとも一般的な１６５０ｍｍ程度にて図示されている。洗面所２は本発明の防水床１と建築により仕上げられる洗面床２ａにて床部が構成され、これの周囲に壁２ｂと天井（図示せず）にて主部分が構成される。防水床１は概略全長１６５０ｍｍ、幅６００ｍｍないし６５０ｍｍ程度にて洗面床に設置される。これは、一般的な洗濯機が幅６００ｍｍから６５０ｍｍで製造されていること及び、浴室４から入浴後に人が洗面所２に出る際に防水床１上に体のほぼ全部が位置するように設定されている。また、製造コストや意匠からも必要な最小限の幅に設定することが好ましいことによる。
【００１３】
洗面所２には、洗面化粧台２ｃが多くの場合、設置されるが、図１に示すように洗濯機３が浴室４に隣接して設置される場合、洗濯機３の隣に配置される例が多い。
防水床１は洗濯機載置部１ａと点検口部１ｂから一体的に耐水性の材質にて構成される。耐水性の部材を複数組み合わせて結果的に一体的にしても問題ない。
洗濯機載置部１ａは洗濯機３からこぼれた水を回収できるように、洗面床２ａより低く受け皿状に底面が設定されている。（実施例では１５０ｍｍ程度底面を低く設定している。）底面は奥側から手前側に向けて水が排水されるように勾配がつけられ、洗濯機載置部１ａの底面の一番手前に排水口１ｈが設けられている。このため、排水口１ｈの掃除などが蓋１ｄを外すことによって簡単にできるように配慮されている。
【００１４】
洗面床２ａと上面がほぼ面一になるように洗濯機移動台１ｅが防水床１の両側に形成されたガイド部１ｆに支持される形で設けれられる。このため、洗面床２ａと洗濯機移動台１ｅには凸凹が発生せず、見た目にすっきりするとともに、ほこりなどが溜まりにくく掃除もしやすい。洗濯機移動台１ｅの後部には洗濯機３の排水ホースを通すための切欠き部１ｇが設けられている。このため、洗濯機３の排水ホースが洗濯機移動台１ｅと壁２ｂなどに挟まれて破損してしまう危険がない。また、必要に応じて、洗濯機３へ給水する給水栓１Ｌを排水口１ｈ近傍に設置してもよい。
これにより、給水ホースの取り回しや、給水栓自体の扱いが上記と同様可能である。
【００１５】
洗濯機移動台１ｅには引き出し取っ手１ｍが上面から操作可能に取り付けられている。引き出し取っ手１ｍにより洗濯機移動台１ｅを引き出しやすくしている。引き出し取っ手１ｍは固定式でも、収納式でも、必要なときに取りつけるタイプでも問題ない。また、洗濯機移動台１ｅ上面には洗濯機がずれたりしないように、洗濯機３の支持脚位置に滑りとめ１ｎが施されている。実施例ではゴム系の材質を使用して、滑りとめと防振材を兼用して設置している。
【００１６】
洗濯機載置部１ａの底面と洗濯機移動台１ｅの間の空間は１００程度以上存在するため、ここに浴室などで使用する濡れた物の収納をすることが可能である。洗濯機載置部には洗濯機３用の排水口１ｈがあるため、濡れた物をそのまま収納しても排水口１ｈに流れて排水されるため好適である。防水床１の他方、約半分には浴室などの配管などを点検するための点検口部１ｂが設けられている。　開口１ｃは５５０ｍｍから６００ｍｍ程度の四角形で人が容易に入れる大きさに設定されている。通常の建築では、洗面所の床に床下収納を現場にて手配して設置することが行われているが、木質系の材料などで現場にて加工されているため、建築自体を湿気から守ることはできていない。
【００１７】
点検口部１ｂには開口１ｃに嵌合するように、収納１ｐが設置される。また、収納１ｐには内蓋１ｑが設置され、蓋１ｄの間から水が浸入しても収納１ｐ内に収納された物を湿気から守ることができる。点検口部１ｂに設置され、開口１ｃを閉塞、隠蔽する蓋１ｄは実施例では、洗面床２ａと面一に配置されるため、洗面から浴室の出入りを妨げることがない。蓋１ｄは実施例では略６００ｍｍ角と３００ｍｍ×６００ｍｍ程度の大きさに２分割されている。これにより、排水口１ｈを掃除する場合でも小さい蓋を外すことにより作業をすることが可能であり、簡単である。
【００１８】
防水床１の両側に形成されたガイド部１ｆは洗濯機載置部１ａと　点検口部１ｂを通して形成されており、蓋１ｄを外すことによって、防水床１の全長にわたり一対のレールのように形成される。洗濯機移動台１ｅはガイド部１ｆ上を摺動自在に移動できる。このため、洗濯機３を手前に移動させることによって、洗濯機３の裏側など従来は掃除が非常に困難であった場所でも簡単に掃除をすることが可能で、衛生上の好ましい。洗濯機移動台１ｅとガイド部１ｆの間には両者の滑りをよくするために、抵抗を小さくするテープなどが張られている。（敷居滑りテープなどの汎用の物で十分効果を発揮する）
【００１９】
洗濯機移動台１ｅと蓋１ｄはガイド部１ｆの全長寸法と略同一寸法に設定されているので。洗濯機移動台１ｅと蓋１ｄが設置されると略ぴったりはまり込むため、洗濯機移動台１ｅが不用意に移動してしまうことがない。別段にストッパー的な部品が不要である。洗濯機移動台１ｅをブロー成形などの中空の成形方法にて成形し、内部に半分程度液体（水でもよい）を充填することも考えられる。内部の液体に振動のエネルギーが吸収されるため洗濯機使用時の振動、騒音を吸収、低減させることがきたいできる。また、防振材が水ですむため、安価である。
【００２０】
防水床１は実施例では架台１ｋにより、設置面から支持されているが、ユニット式の浴室にあるように建築の土台から支持させてもよいし、建築自体で支持構造を構築してもよい。本実施例では、建築の基礎２ｅを避けるため、架台１ｋは支持脚位置をオフセットさせて配置させている。通常、基礎２ｅの上には土台２ｄが配置されているが、土台２ｄは木であるため、現場で削除することが容易である。しかし、基礎２ｅはコンクリートであるため、はつり作業は大きな負荷となる。このため、期せずして基礎２ｅが存在しても現場でのはつり作業がなくてよいように架台１ｋを中心からずらしてオフセットしている。
【００２１】
浴室４の防水床と防水床１の位置については、転倒防止兼位置決め材１ｒによって施工時に自動的に設定されるので、現場の作業者が考えなくても作業のばらつきがない。防水床１は幅が６００ｍｍ程度しかないため施工時、防水床１の端に作業者が乗った場合など、防水床１自体が転倒して、部材を破損させたり、作業者が怪我をするなどが懸念される。この対策として、浴室の防水床から転倒防止兼位置決め材１ｒを防水床１に固定することにより危険を回避することが可能になる。また、転倒防止兼位置決め材１ｒは位置きめのため必ず設置するので、取り付けを忘れて防水床１を転倒させてしまうことがない。転倒防止兼位置決め材１ｒは実施例では、両方の防水床端面にあらかじめ工場にて開口された穴と転倒防止兼位置決め材１ｒの穴をネジにて固定するなどの簡単な構造でよく、構造の詳細の説明は省略する。
【００２２】
【発明の効果】
本発明は上記構成により次の効果を発揮する。
請求項１では洗面所を浴室の湿気から守る洗面所の防水床において、浴室の防水床と洗面所の防水床を建築の間仕切りを界さずに近接して設置するとともに、防水床が建築から独立して架台にて支持され、浴室と洗面所の間の建築の基礎を避けるように洗面所の防水床の架台がオフセットされているので、洗面所を湿気から守ることが可能であり、浴室と洗面所の間に建築の基礎が存在する場合でも間仕切壁の壁厚のデットスペースを生じさせない。
【００２３】
請求項２では、洗面所の防水床の部分を洗面所床面積の略半分以下の広さとしたので、ユニット式の洗面所のように、高額にならずにすむ上に、洗面所の形状や広さのバリエーションに対応が可能である。
【００２４】
請求項３では、浴室の防水床と洗面の防水床の位置を固定する位置決め部材が洗面の防水床の転倒防止部材をかねているので、施工時に転倒防止材を付け忘れることがなく、防水床を転倒させることがない。
【００２５】
請求項４では洗面の防水床の長手方向と直交する浴室の防水床の辺から延出された位置決め部材を有するので、簡単な構造で転倒防止と位置きめが容易にできる。
【図面の簡単な説明】
【図１】本発明の実施例を示すイメージ図である。
【図２】本発明の実施例を示す平面図である。
【図３】本発明の実施例を示す立面図（図１におけるＡ断面）である。
【図４】本発明の実施例を示す立面図（図１におけるＢ断面）である。
【図５】本発明の実施例を示す立面図（図１におけるＣ断面）である。
【図６】本発明の実施例を示す立面図（図３におけるオ部、カ部詳細）である。
【図７】本発明の実施例を示す立面図（図４におけるク部、サ部詳細）である。
【符号の説明】
１　　　　　防水床
１ａ　　　洗濯機載置部
１ｂ　　　点検口部
１ｃ　　　開口
１ｄ　　　蓋
１ｅ　　　洗濯機移動台
１ｆ　　　ガイド部
１ｇ　　　切欠き部
１ｈ　　　排水口
１ｋ　　　架台
１Ｌ　　　　給水栓
１ｍ　　　引き出し取っ手
１ｎ　　　防振材
１ｐ　　　収納
１ｑ　　　内蓋
１ｒ　　　転倒防止兼位置決め材
２　　　　　洗面所
２ａ　　　洗面床
２ｂ　　　壁
２ｃ　　　洗面化粧台
２ｄ　　　土台
２ｅ　　　建築基礎
３　　　　　洗濯機
４　　　　　浴室
４ａ　　　浴室ドア
【図１】
2004084358.tif 000003
【図２】
2004084358.tif 000004
【図３】
2004084358.tif 000005
【図４】
2004084358.tif 000006
【図５】
2004084358.tif 000007
【図６】
2004084358.tif 000008
【図７】
2004084358.tif 000009